(57)【特許請求の範囲】
【請求項１】
第１のフランジと、これに着脱自在に結合される第２のフランジと、これら２つのフランジ間に設けられた拡縮可能なトップテープの巻取り部と、トップテープの巻取り時に該巻取り部を拡径した状態に保持してトップテープを巻取れるように構成したテープフィーダにおけるトップテープの巻取りリールにおいて、前記巻取り部は、前記第１フランジの前記第２フランジと対面する側の面に、該面の中央部に突設したボスを囲繞する態様でそれぞれ半径方向に往復摺動可能なように配設された円弧状の巻取り面を有する４個の巻枠部材からなっており、各巻枠部材はその外形が略扇形をなし、その中央部には縦長の案内孔が形成されているとともに、該案内孔を挟んだ左右両側には、該案内孔と平行に延在する縦長の補助案内孔がそれぞれ形成されていて、前記案内孔には第１フランジに突設された突起が遊嵌され、前記両補助案内孔には当該巻枠部材を該第１フランジの面に半径方向に移動可能に保持するための爪部材を兼ねる案内突起がそれぞれ係合されており、前記第２フランジには前記第１フランジと対面する側の面の中央部に先端部が面取りされてテーパ面となっている前記第１フランジのボスの外周面に嵌着される円筒状突起が突設されていて、該円筒状突起を該第１フランジのボスの外周面に嵌着すると、前記４個の巻枠部材が該円筒状突起により半径方向外方に押されてその外周面上にそれぞれ乗り上がり、その巻取り部が拡径されるように構成したことを特徴とする巻取りリール。
【請求項２】
第１のフランジと、これに着脱自在に結合される第２のフランジと、これら２つのフランジ間に設けられた拡縮可能なトップテープの巻取り部と、トップテープの巻取り時に該巻取り部を拡径した状態に保持してトップテープを巻取れるように構成したテープフィーダにおけるトップテープの巻取りリールにおいて、前記巻取り部は、前記第１フランジの前記第２フランジと対面する側の面に、該面の中央部に突設したボスを囲繞する態様でそれぞれ半径方向に往復摺動可能なように配設された円弧状の巻取り面を有する３個の巻枠部材からなっており、各巻枠部材はその外形が略扇形をなし、その中央部には縦長の案内孔が形成されているとともに、該案内孔を挟んだ左右両側には、該案内孔と平行に延在する縦長の補助案内孔がそれぞれ形成されていて、前記案内孔には第１フランジに突設された突起が遊嵌され、前記両補助案内孔には当該巻枠部材を該第１フランジの面に半径方向に移動可能に保持するための爪部材を兼ねる案内突起がそれぞれ係合されており、前記第２フランジには前記第１フランジと対面する側の面の中央部に先端部が面取りされてテーパ面となっている前記第１フランジのボスの外周面に嵌着される円筒状突起が突設されていて、該円筒状突起を該第１フランジのボスの外周面に嵌着すると、前記３個の巻枠部材が該円筒状突起により半径方向外方に押されてその外周面上にそれぞれ乗り上がり、その巻取り部が拡径されるように構成したことを特徴とする巻取りリール。
【発明の詳細な説明】
【０００１】
【発明の属する技術分野】
本発明は、電子部品収納テープを用いてそれに収納されている電子部品を１個づつ電子部品自動装着装置に供給するテープフィーダにおけるトップテープの巻取りリールに関する。
【０００２】
【従来の技術】
駆動側のフランジである第１のフランジと、これに着脱自在に結合される第２のフランジと、この第２フランジ側に設けられた拡縮可能な外周を有する巻取り部と、その外周を拡径した状態に保持してトップテープを巻取れるように構成したテープフィーダにおけるトップテープの巻取りリールは、例えば特開平５−１８６１４５号公報、特開平６−６１６８７号公報等により、既に知られている。
【０００３】
【発明が解決しようとする課題】
この種の従来公知の巻取りリールは、そのいずれもが巻き取ったトップテープの取り外しを容易にすることをその主たる目的とするものであるが、その目的達成のための方式としては、トップテープを巻き取る巻取り部にスリットを形成し、これにより巻取り部の一部を半径方向に変形させるようにしたものであるとか、巻取り部を一対の円弧状部材で形成し、該円弧状部材を互いに接近離間自在に設けるとともに、その間に設けた回転レバーを回転させることにより巻取り部の外周形状を変化させるようにしたものとかがあり、前者のタイプは前記特開平５−１８６１４５号公報等に、後者のタイプは前記特開平６−６１６８７号公報等にそれぞれ記載されている。
【０００４】
テープフィーダは、前述したように、電子部品自動装着装置への電子部品の供給に使用されるものであるが、その供給作業の効率を向上させるためには、巻取りリールに巻き取られたトップテープの除去に要する時間の大幅な短縮が必要になる。
そして、巻き取られたトップテープの除去に要する時間を大幅に短縮するためには、第２のフランジの第１のフランジからの手動取外し操作の際に作用する摩擦抵抗を小さくし、その取外し操作を容易に行えるようにすることが要請される。
前記した従来例のものは、前記の如き構成を有するため、摩擦抵抗が大きくなることを避けられず、巻取りリールに求められる上記の如き要請に十分応えることが困難である。
【０００５】
本発明は、上記の如き要請に応えるべくなされたものであって、巻取りリールに巻き取られたトップテープを極めて迅速かつ容易に除去できるようにし、もって電子部品自動装着装置への電子部品の供給作業効率の向上に資することができるようにしたテープフィーダにおけるトップテープの巻取りリールを提供することをその主たる目的とするものである。
【０００６】
【課題を解決するための手段】
上記目的を達成するために本発明に係る巻取りリールは、第１のフランジと、これに着脱自在に結合される第２のフランジと、これら２つのフランジ間に設けられた拡縮可能なトップテープの巻取り部と、トップテープの巻取り時に該巻取り部を拡径した状態に保持するための係止手段とを備えたテープフィーダにおけるトップテープの巻取りリールにおいて、前記巻取り部は、前記第１フランジの前記第２フランジと対面する側の面に、該面の中央部に突設したボスを囲繞する態様でそれぞれ半径方向に往復摺動可能なように配設された円弧状の巻取り面を有する４個の巻枠部材からなっており、各巻枠部材はその外形が略扇形をなし、その中央部には縦長の案内孔が形成されているとともに、該案内孔を挟んだ左右両側には、該案内孔と平行に延在する縦長の補助案内孔がそれぞれ形成されていて、前記案内孔にはダイフランジに突設された突起が遊嵌され、前記両補助案内孔には当該巻枠部材を該第１フランジの面に半径方向に移動可能に保持するための詰部材を兼ねる案内突起がそれぞれ係合されており、前記第２フランジには前記第１フランジと対面する側の面の中央部に前記第１フランジのボスの外周面に嵌着される円筒状突起が突設されていて、該円筒状突起を該第１フランジのボスの外周面に嵌着すると、前記４個の巻枠部材が該円筒状突起に半径方向外方に押されてその外周面上にそれぞれ乗り上がるように構成したことを特徴とするものである。
【０００７】
また、本発明に係る巻取りリールは、第１のフランジと、これに着脱自在に結合される第２のフランジと、これら２つのフランジ間に設けられた拡縮可能なトップテープの巻取り部と、トップテープの巻取り時に該巻取り部を拡径した状態に保持するための係止手段とを備えたテープフィーダにおけるトップテープの巻取りリールにおいて、前記巻取り部は、前記第１フランジの前記第２フランジと対面する側の面に、該面の中央部に突設したボスを囲繞する態様でそれぞれ半径方向に往復摺動可能なように配設された円弧状の巻取り面を有する３個の巻枠部材からなっており、各巻枠部材はその外形が略扇形をなし、その中央部には縦長の案内孔が形成されているとともに、該案内孔を挟んだ左右両側には、該案内孔と平行に延在する縦長の補助案内孔がそれぞれ形成されていて、前記案内孔にはダイフランジに突設された突起が遊嵌され、前記両補助案内孔には当該巻枠部材を該第１フランジの面に半径方向に移動可能に保持するための詰部材を兼ねる案内突起がそれぞれ係合されており、前記第２フランジには前記第１フランジと対面する側の面の中央部に前記第１フランジのボスの外周面に嵌着される円筒状突起が突設されていて、該円筒状突起を該第１フランジのボスの外周面に嵌着すると、前記３個の巻枠部材が該円筒状突起に半径方向外方に押されてその外周面上にそれぞれ乗り上がるように構成したことを特徴とするものである。。
【０００８】
【発明の実施の形態】
【実施例１】
以下、本発明の一実施例を図面を参照にしつつ詳細に説明する。
図１〜８は本発明の一実施例を示すもので、図１はその全体の斜視図であり、１は駆動側のフランジである第１のフランジ、２はこれに着脱自在に結合された第２のフランジである。図２において１−１は第１フランジ１の第２フランジ２と対面する側の面に突設したボス、１−２は係合つめ、１−３は突起、１−４は後述する巻枠部材３を第１フランジ１の面に半径方向に移動可能に保持するための爪部材を兼ねる案内突起である。前記突起１−３は、図４に示されているように、略扇形をした巻枠部材３の中央部に形成された縦長の案内孔３−４に遊嵌されており、前記爪部材を兼ねる案内突起１−４は該案内孔３−４を狭んだ左右両側に形成された該案内孔３−４と平行に延在する縦長の補助案内孔３−２、３−２にそれぞれ係合されている。
【０００９】
前記第２フランジ２には、前記第１フランジ１と対面する側の面の中央部に該第１フランジのボス１−１の外周面に嵌着される円筒状突起２−１が突設されている。本発明の実施例１では前記ボス１−１の周囲に円弧状の巻取り面３−１を有する４個の巻枠部材３が第１フランジの面上をそれぞれ往復摺動可能なように配設されている。そして、第２フランジ２の前記円筒状突起２−１を前記第１フランジのボス１−１の外周面に嵌着すると、前記４個の巻枠部材３が該円筒状突起２−１に半径方向外方に押されてその外周面上にそれぞれ乗り上がり、各巻枠部材３の巻取り面３−１がそれぞれ半径方向外方へ押し上げられ、それら巻枠部材によって形成される拡縮可能な巻取り部を拡径する。
その際、第１フランジのボス１−１の先端部は面取りされてテーパ面１−５となっているので該円筒状突起２−１の嵌着及び各巻枠部材３の乗り上げがスムーズに行われる。
図５は、前記の如く構成された４個の巻枠部材３によって形成された拡縮可能な巻取り部によってトップテープを巻き取る状態を表し、図６は巻枠部材３がボス１−１の外周面に嵌着された円筒状突起２−１の外周面上に乗り上がっている状態を示した部分拡大図である。図中、符号３−６は湾曲した巻枠部材３の底部であり、３−７は該底部３−６の左右両端部に乗り上がりを容易にすべく突設された一対のＲを付した支持突起である。図７は高さないし構造を若干異ならしめた巻枠部材を示したもので、互いに支持部品として使用することが可能である。
【００１０】
【実施例２】
図９〜１１は、本発明の他の実施例を示したもので、この例ではトップテープの巻取り部を３個の巻枠部材３で構成したものである。
図９は３個の巻枠部材３が円筒状突起２−１外周面上に乗り上ってその巻取り部が拡径している状態を示し、図１０はトップテープ取り外しのために該円筒状突起２−１を取り外したことにより該巻枠部材からなる巻取り部が拡径位置８から縮径した状態を表し、この縮径によって発生するテープとの間の間隙でテープの取り外しが容易になる。
【００１１】
【発明の効果】
本発明は、上記の如く構成されているので、これによれば巻取ったトップテープの除去を従来例のものより迅速かつ容易に行うことができ、電子部品自動装着装置への電子部品の供給作業効率の向上に資することができるものである。
【００１２】
【図面の簡単な説明】
【図１】  本発明に係る巻取りリールの斜視図
【図２】  第１フランジの斜視図
【図３】  第２フランジの斜視図
【図４】  巻枠部材の取り付け斜視図
【図５】  トップテープの巻取り状態を示す斜視図
【図６】  巻取部材の部分拡大図
【図７】  巻取部材の一例の斜視図
【図８】  同上
【図９】  他の実施例の巻取り部の拡径状態を示す図
【図１０】  同上実施例の巻取り部の縮径状態を示す図
【図１１】  巻枠部材の他の例の斜視図
【００１３】
【符号の説明】
１      第１のフランジ
２      第２のフランジ
３      巻枠部材
【図１】
0004204774.tif 000002
【図２】
0004204774.tif 000003
【図３】
0004204774.tif 000004
【図４】
0004204774.tif 000005
【図５】
0004204774.tif 000006
【図６】
0004204774.tif 000007
【図７】
0004204774.tif 000008
【図８】
0004204774.tif 000009
【図９】
0004204774.tif 000010
【図１０】
0004204774.tif 000011
【図１１】
0004204774.tif 000012